(57)【要約】【課題】タブ形式の画面が表示される表示制御装置において、一般モードでの動作の開始後に最初に選択状態にさせるタブの初期値を決定できるように構成されている場合において、その初期値に決定されたタブの属性が、個人モード時に表示される属性に変化されても、一般モードでの動作開始後に適切な画面表示が行われるようにする。【解決手段】一般モード時は、共有属性タブ４１〜４３を含む一方でパーソナル属性タブは含まないホーム画面４０を表示させる。また、一般モードに設定されたときに選択状態にするメインタブを予め設定可能であり、一般モードに設定された場合はそのメインタブを選択状態とする。ただし、メインタブの属性がパーソナルに設定されている場合は、そのメインタブをホーム画面４０に含めず、そのメインタブとは異なる共有属性タブを選択状態とする。【選択図】図２
2020052973.tif 000002
【特許請求の範囲】
【請求項１】
表示部と、
入力部と、
制御部と、
を備えた表示制御装置であって、
前記制御部は、前記表示部に少なくとも１つの表示対象タブを含む待機画面を表示させる表示処理を実行し、
前記少なくとも１つの表示対象タブは、複数のタブのうちの少なくとも１つであり、
前記待機画面は、前記少なくとも１つの表示対象タブのうちの１つが選択状態に設定され、
前記複数のタブの各々は、機能が対応付けられた画像である機能オブジェクトが登録され得るように構成され、
前記複数のタブの各々は、共有及びパーソナルのうちのいずれかの属性に設定され、
前記複数のタブの各々は、特定の登録ユーザが登録され得るように構成され、
前記制御部は、さらに、
前記複数のタブのうちいずれか１つをメインタブに設定するメインタブ設定処理と、
当該表示制御装置のユーザモードを一般モード及び個人モードのうちの１つに設定するユーザモード設定処理であって、前記個人モードに対応したユーザ認証情報が前記入力部を介して入力されることに応じて前記ユーザモードを前記個人モードに設定する前記ユーザモード設定処理と、
を実行し、
前記表示処理は、
前記ユーザモードが前記一般モードに設定されることに応じて前記待機画面を前記表示部に表示させる第１表示処理であって、前記少なくとも１つの表示対象タブは、前記属性が共有に設定されている前記タブである共有属性タブを含む一方で前記属性がパーソナルに設定されている前記タブであるパーソナル属性タブは含まず、前記メインタブの前記属性が共有に設定されている場合はそのメインタブを前記選択状態とし、前記メインタブの前記属性がパーソナルに設定されている場合は、そのメインタブは含まず、そのメインタブとは異なる前記共有属性タブを前記選択状態とする、前記第１表示処理と、
前記ユーザモードが前記個人モードに設定されることに応じて前記待機画面を前記表示部に表示させる第２表示処理であって、前記少なくとも１つの表示対象タブは、設定されている前記個人モードに対応した前記登録ユーザが登録されている前記パーソナル属性タブを含む一方で、設定されている前記個人モードに対応した前記登録ユーザが登録されていない前記パーソナル属性タブは含まない、前記第２表示処理と、
を備える、表示制御装置。
【請求項２】
請求項１に記載の表示制御装置であって、
前記第１表示処理は、前記メインタブの前記属性がパーソナルに設定されている場合、そのメインタブとは異なり且つ前記機能オブジェクトが登録されている前記共有属性タブを前記選択状態とする、
表示制御装置。
【請求項３】
請求項１又は請求項２に記載の表示制御装置であって、
前記メインタブ設定処理は、
前記複数のタブのうち前記属性が共有に設定されているタブを選択肢として含み、前記属性がパーソナルに設定されているタブを選択肢として含まない、メインタブ選択画面を前記表示部に表示させるメインタブ選択画面表示処理、
を含み、
前記メインタブ設定処理は、前記メインタブ選択画面において前記選択肢として表示さ
れたタブのうち前記入力部を介して選択されたいずれか１つを前記メインタブに設定する、
表示制御装置。
【請求項４】
請求項１〜請求項３のいずれか１項に記載の表示制御装置であって、
前記制御部は、さらに、
前記複数のタブ毎の、前記入力部を介して前記属性を選択させるための選択用画像を含む属性設定画面を前記表示部に表示させる属性設定画面表示処理であって、前記メインタブに対応した前記選択用画像に特定のマークを付加するように構成された前記属性設定画面表示処理と、
前記複数のタブの前記属性を、共有及びパーソナルのうち前記属性設定画面において前記入力部を介して選択されたいずれかに設定する属性設定処理と、
を実行する、表示制御装置。
【請求項５】
請求項１〜請求項４のいずれか１項に記載の表示制御装置であって、
前記制御部は、さらに、
前記表示処理により表示される前記待機画面を特定の初期状態に設定するための初期化指示操作を前記入力部を介して受け付ける初期化受付処理と、
前記初期化受付処理により前記初期化指示操作が受け付けられた場合、予め設定されている初期設定タブの前記属性を判断する属性判断処理と、
を実行し、
前記メインタブ設定処理は、前記属性判断処理により前記初期設定タブの前記属性が共有と判断されることに応じて、前記初期設定タブを前記メインタブに設定し、前記属性判断処理により前記初期設定タブの前記属性がパーソナルと判断されることに応じて、前記初期設定タブを前記メインタブとは異なる前記共有属性タブに設定する、
表示制御装置。
【請求項６】
請求項１〜請求項５のいずれか１項に記載の表示制御装置であって、
さらに、個人モード情報が記憶された第１の記憶部であって、前記個人モード情報は、前記個人モード時に前記第２表示処理により表示される前記待機画面において、その個人モードに対応した前記登録ユーザが登録されている前記パーソナル属性タブ、及び前記メインタブ、のうちどちらを前記選択状態とするかを示す情報である、前記第１の記憶部を備え、
前記第２表示処理は、設定されている前記個人モードに対応した前記登録ユーザが登録されている前記パーソナル属性タブ、及び前記メインタブ、のうち、前記第１の記憶部に記憶されている前記個人モード情報が示すいずれか一方を前記選択状態とする前記待機画面を前記表示部に表示させる、
表示制御装置。
【請求項７】
請求項１〜請求項６のいずれか１項に記載の表示制御装置であって、
さらに、前記登録ユーザ毎の、前記第２表示処理において前記選択状態にさせるべきタブである選択指定タブを示す選択指定情報が記憶された第２の記憶部を備え、
前記第２表示処理は、前記第２の記憶部に記憶されている前記選択指定情報に基づき、設定されている前記個人モードに対応した前記登録ユーザの前記選択指定タブを選択状態とする前記待機画面を前記表示部に表示させる、
表示制御装置。
【請求項８】
表示制御方法であって、
少なくとも１つの表示対象タブを含む待機画面を表示部に表示させる表示ステップを有し、
前記少なくとも１つの表示対象タブは、複数のタブのうちの少なくとも１つであり、
前記待機画面は、前記少なくとも１つの表示対象タブのうちの１つが選択状態に設定され、
前記複数のタブの各々は、機能が対応付けられた画像である機能オブジェクトが登録され得るように構成され、
前記複数のタブの各々は、共有及びパーソナルのうちのいずれかの属性に設定され、
前記複数のタブの各々は、特定の登録ユーザが登録され得るように構成され、
前記表示制御方法は、さらに、
前記複数のタブのうちいずれか１つをメインタブに設定するメインタブ設定ステップと、
ユーザモードを一般モード及び個人モードのうちの１つに設定するユーザモード設定ステップであって、前記個人モードに対応したユーザ認証情報が入力されることに応じて前記ユーザモードを前記個人モードに設定する前記ユーザモード設定ステップと、
を実行し、
前記表示ステップは、
前記ユーザモードが前記一般モードに設定されることに応じて前記待機画面を前記表示部に表示させる第１の表示ステップであって、前記少なくとも１つの表示対象タブは、前記属性が共有に設定されている前記タブである共有属性タブを含む一方で前記属性がパーソナルに設定されている前記タブであるパーソナル属性タブは含まず、前記メインタブの前記属性が共有に設定されている場合はそのメインタブを前記選択状態とし、前記メインタブの前記属性がパーソナルに設定されている場合はそのメインタブとは異なる前記共有属性タブを前記選択状態とする、前記第１の表示ステップと、
前記ユーザモードが前記個人モードに設定されることに応じて前記待機画面を前記表示部に表示させる第２の表示ステップであって、前記少なくとも１つの表示対象タブは、設定されている前記個人モードに対応した前記登録ユーザが登録されている前記パーソナル属性タブを含む一方で、設定されている前記個人モードに対応した前記登録ユーザが登録されていない前記パーソナル属性タブは含まない、前記第２の表示ステップと、
を有する、表示制御方法。
【請求項９】
表示部と、
入力部と、
制御部と、
を備えた表示制御装置における前記制御部が実行可能なプログラムであって、
前記制御部に、前記表示部に少なくとも１つの表示対象タブを含む待機画面を表示させる表示処理を実行させ、
前記少なくとも１つの表示対象タブは、複数のタブのうちの少なくとも１つであり、
前記待機画面は、前記少なくとも１つの表示対象タブのうちの１つが選択状態に設定され、
前記複数のタブの各々は、機能が対応付けられた画像である機能オブジェクトが登録され得るように構成され、
前記複数のタブの各々は、共有及びパーソナルのうちのいずれかの属性に設定され、
前記複数のタブの各々は、特定の登録ユーザが登録され得るように構成され、
前記プログラムは、さらに、前記制御部に、
前記複数のタブのうちいずれか１つをメインタブに設定するメインタブ設定処理と、
当該表示制御装置のユーザモードを一般モード及び個人モードのうちの１つに設定するユーザモード設定処理であって、前記個人モードに対応したユーザ認証情報が前記入力部を介して入力されることに応じて前記ユーザモードを前記個人モードに設定する前記ユーザモード設定処理と、
を実行させ、
前記表示処理は、
前記ユーザモードが前記一般モードに設定されることに応じて前記待機画面を前記表示部に表示させる第１表示処理であって、前記少なくとも１つの表示対象タブは、前記属性が共有に設定されている前記タブである共有属性タブを含む一方で前記属性がパーソナルに設定されている前記タブであるパーソナル属性タブは含まず、前記メインタブの前記属性が共有に設定されている場合はそのメインタブを前記選択状態とし、前記メインタブの前記属性がパーソナルに設定されている場合はそのメインタブとは異なる前記共有属性タブを前記選択状態とする、前記第１表示処理と、
前記ユーザモードが前記個人モードに設定されることに応じて前記待機画面を前記表示部に表示させる第２表示処理であって、前記少なくとも１つの表示対象タブは、設定されている前記個人モードに対応した前記登録ユーザが登録されている前記パーソナル属性タブを含む一方で、設定されている前記個人モードに対応した前記登録ユーザが登録されていない前記パーソナル属性タブは含まない、前記第２表示処理と、
を備える、プログラム。
【発明の詳細な説明】
【技術分野】
【０００１】
本発明は、表示部に表示される画面の内容を制御する技術に関する。
【背景技術】
【０００２】
特許文献１には、タブ形式のショートカット一覧画面が表示される複合機が開示されている。タブ形式のショートカット一覧画面においては、表示されているタブのうちいずれか１つのタブが選択状態にされ、その選択状態のタブに対応付けられたショートカット機能の選択肢を含む画面が表示される。
【０００３】
特許文献１に記載の複合機では、登録ユーザがログインしていない一般モード時は、ショートカット一覧画面には、全てのユーザが利用可能な共有タブが表示される。一方、いずれかの登録ユーザがログインした個人モード時は、ショートカット一覧画面には、共有タブは表示されず、ログインした登録ユーザに登録された個人用タブのみ表示される。
【先行技術文献】
【特許文献】
【０００４】
【特許文献１】特開２０１６−７１６８０号公報
【発明の概要】
【発明が解決しようとする課題】
【０００５】
特許文献１に記載の複合機においては、例えば、起動時或いは一般モード移行時などの一般モードでの動作の開始後に最初に選択状態にさせるタブの初期値であるメインタブを、いずれかの共有タブに予め決定しておく使用形態が考えられる。
【０００６】
しかし、このような使用形態においては、次のような問題が生じ得る。即ち、タブ毎にその属性を共有タブ又は個人用タブに設定変更できるように構成した場合、メインタブの属性が共有タブから個人用タブに変更され得る。メインタブの属性が個人用タブに変更されると、複合機は、一般モード時での動作の開始後に選択状態にすべきタブを特定することが困難となる。
【０００７】
本発明は上記課題に鑑みなされたものであり、タブ形式の画面が表示される表示制御装置において、一般モードでの動作の開始後に最初に選択状態にさせるタブの初期値を決定できるように構成されている場合において、その初期値に決定されたタブの属性が、個人モード時に表示される属性に変化されても、一般モードでの動作開始後に適切な画面表示が行われるようにすることを目的とする。
【課題を解決するための手段】
【０００８】
本発明の表示制御装置は、表示部と、入力部と、制御部と、を備える。制御部は、表示部に少なくとも１つの表示対象タブを含む待機画面を表示させる表示処理を実行する。
前記少なくとも１つの表示対象タブは、複数のタブのうちの少なくとも１つである。待機画面は、前記少なくとも１つの表示対象タブのうちの１つが選択状態に設定される。複数のタブの各々は、機能が対応付けられた画像である機能オブジェクトが登録され得る。複数のタブの各々は、共有及びパーソナルのうちのいずれかの属性に設定される。複数のタブの各々は、特定の登録ユーザが登録され得る。
【０００９】
制御部は、さらに、メインタブ設定処理と、ユーザモード設定処理とを実行する。メインタブ設定処理は、複数のタブのうちいずれか１つをメインタブに設定する。ユーザモー
ド設定処理は、当該表示制御装置のユーザモードを一般モード及び個人モードのうちの１つに設定する。ユーザモード設定処理は、個人モードに対応したユーザ認証情報が入力部を介して入力されることに応じて、ユーザモードを個人モードに設定する。
【００１０】
表示処理は、第１表示処理と、第２表示処理とを備える。
第１表示処理は、ユーザモードが一般モードに設定されることに応じて待機画面を表示部に表示させる。この場合における前記少なくとも１つの表示対象タブは、属性が共有に設定されているタブである共有属性タブを含む一方で、属性がパーソナルに設定されているタブであるパーソナル属性タブは含まない。さらに、メインタブの属性が共有に設定されている場合はそのメインタブを選択状態とし、メインタブの属性がパーソナルに設定されている場合は、そのメインタブは含まず、そのメインタブとは異なる共有属性タブを選択状態とする。
【００１１】
第２表示処理は、ユーザモードが個人モードに設定されることに応じて待機画面を表示部に表示させる。この場合における前記少なくとも１つの表示対象タブは、共有属性タブ、及び設定されている個人モードに対応した登録ユーザが登録されているパーソナル属性タブを含む一方で、設定されている個人モードに対応した登録ユーザが登録されていないパーソナル属性タブは含まない。
【００１２】
このように構成された表示制御装置では、ユーザモードが一般モードに設定されている場合、パーソナル属性タブは表示されずに共有属性タブが表示され、そのうちメインタブに設定されているタブが選択状態にされる。ただし、メインタブの属性がパーソナルに設定されている場合は、そのメインタブは表示されず、他のいずれかの共有属性タブが選択状態にされる。
【００１３】
そのため、メインタブの属性がパーソナルに設定変更されても、一般モードでの動作開始後、選択状態のタブを適切に決定して、待機画面を適切に表示させることが可能となる。
【図面の簡単な説明】
【００１４】
【図１】情報処理システムの概略構成を示す説明図である。
【図２】メインホーム画面設定値が第１タブに設定されている場合における一般モード時のホーム画面の一例を示す説明図であり、（ａ）は第１タブ〜第３タブが共有属性である場合のホーム画面の一例を示し、（ｂ）は（ａ）の状態から第１タブの属性がパーソナルに変更された場合のホーム画面の一例を示す。
【図３】（ａ）はメインホーム画面タブ設定テーブルを示す説明図、（ｂ）はタブ設定テーブルを示す説明図、（ｃ）はユーザリストを示す説明図、（ｄ）は個人登録タブの個人用メインホーム画面タブ設定テーブルを示す説明図である。
【図４】タブ属性設定画面を示す説明図である。
【図５】メインホーム画面設定画面を示す説明図である。
【図６】メインホーム画面設定値が第１タブに設定されている場合における個人モード時のホーム画面の一例を示す説明図であり、（ａ）は個人登録タブを個人用メインホーム画面タブとする設定がオンにされている場合のホーム画面の一例を示す説明図であり、（ｂ）は個人登録タブを個人用メインホーム画面タブとする設定がオフに設定されている場合のホーム画面の一例を示す説明図であり、（ｃ）は（ｂ）の状態から第１タブの属性がパーソナルに変更された場合のホーム画面の一例を示す。
【図７】一般モードホーム画面表示処理を示すフローチャートである。
【図８】タブ属性設定処理を示すフローチャートである。
【図９】メインホーム画面設定処理を示すフローチャートである。
【図１０】メインホーム画面初期化処理を示すフローチャートである。
【図１１】個人モードホーム画面表示処理を示すフローチャートである。
【図１２】個人モードホーム画面表示処理の他の例を示すフローチャートである。
【発明を実施するための形態】
【００１５】
以下、本発明の実施形態について、図面を参照しながら説明する。
［実施形態］
（１）情報処理システムの概要
図１に示す本実施形態の情報処理システム１は、画像処理装置１０と、情報処理装置２０とを備える。画像処理装置１０と情報処理装置２０とは、ネットワーク３を通じて相互にデータ通信可能である。ネットワーク３は、どのようなネットワークであってもよい。ネットワーク３は、例えば有線のネットワークであってもよいし、無線のネットワークであってもよい。また、有線及び無線のいずれにおいても、具体的な通信方式はどのような通信方式であってもよい。
【００１６】
（２）画像処理装置の構成
画像処理装置１０は、原稿の画像を読み取ってその読み取った画像の画像データを生成するスキャン機能、記録用紙への画像の印刷を行う印刷機能、スキャン機能により読み取った画像を印刷機能により記録用紙に印刷するコピー機能、ファクシミリデータの送受信を行うファクス機能など、規定の複数の機能を備えている。
【００１７】
図１に示すように、画像処理装置１０は、制御部１１と、記憶部１２と、表示部１３と、入力部１４と、読取部１５と、印刷部１６と、メディアインタフェース部１７と、第１通信部１８と、第２通信部１９とを備え、これらがバス５を介して相互に接続されている。なお、メディアインタフェース部のことを、以下「メディアＩ／Ｆ」と略称する。
【００１８】
制御部１１はＣＰＵを有する。記憶部１２は、例えばＲＯＭ、ＲＡＭ、ＮＶＲＡＭ、フラッシュメモリなどの半導体メモリを有する。即ち、画像処理装置１０は、ＣＰＵ及び半導体メモリを含むマイクロコンピュータを備えている。
【００１９】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００２０】
記憶部１２には、後述するホーム画面４０（図２，図６参照）を含む各種画面のデータが記憶されている。また、記憶部１２には、図３（ａ）に示すメインホーム画面タブ設定テーブルのデータ、図３（ｂ）に示すタブ設定テーブルのデータ、図３（ｃ）に示すユーザリストのデータ、図３（ｄ）に示す個人登録タブの個人用メインホーム画面タブ設定テーブルのデータ、図４に示すタブ属性設定画面のデータ、図５に示すメインホーム画面設定画面３５のデータ、図７〜図１２に示す各処理のプログラム、なども記憶される。
【００２１】
表示部１３は、各種情報を表示するための表示デバイスを有する。本実施形態の表示部１３は、表示デバイスとしてディスプレイ１３ａを有する。
入力部１４は、各種入力操作を受け付けるための入力用デバイスを有する。本実施形態の入力部１４は、入力用デバイスとしてタッチパネル１４ａを有する。タッチパネル１４ａは、表示部１３の表示デバイスにおける、画像が表示される画像表示領域に重畳配置される。
【００２２】
タッチパネル１４ａは、表示部１３の画像表示領域に対する、指示体による接触又は近
接による指示操作を検出可能である。即ち、タッチパネル１４ａは、表示部１３の画像表示領域に対して指示体による指示操作が行われている場合に、その指示操作が行われている位置である指示位置を示す位置情報を出力可能に構成されている。本実施形態のタッチパネル１４ａは、指示体により指示操作が行われている間、位置情報を連続的又は周期的に出力するよう構成されている。
【００２３】
なお、タッチパネル１４ａは、指示操作として接触のみ検出可能な構成であってもよいし、近接のみ検出可能な構成であってもよいし、接触及び近接の両方を検出可能な構成であってもよい。
【００２４】
制御部１１は、タッチパネル１４ａから出力される位置情報を取得し、その取得した位置情報に基づいて、指示体の指示操作の有無、指示操作が行われている場合における指示位置、指示操作が行われている場合における指示体による少なくとも一種類の特定の操作を検出することができる。
【００２５】
制御部１１が検出可能な特定の操作には、例えば、タップ操作、フリック操作、ドラッグ操作などが含まれる。タップ操作は、指示体により指示操作が行われた後、同じ位置で指示体が離れる操作である。指示操作を行うことが可能な指示体の具体的態様は種々考えられ、例えば指先であってもよいし、スタイラスペンなどの特定の指示用デバイスであってもよい。
【００２６】
読取部１５は、イメージセンサを備え、原稿の画像を読み取り、読み取った画像の画像データを生成する。印刷部１６は、インクジェット技術や電子写真技術の印刷機構を有し、シート状の記録用紙に画像を印刷することが可能である。
【００２７】
メディアＩ／Ｆ１７は、例えばＵＳＢフラッシュメモリなどの、各種の記憶メディアが装着されるインタフェース部であり、装着された記憶メディアに対するデータの書き込み及び読み出しを制御する。
【００２８】
第１通信部１８は、画像処理装置１０をネットワーク３に接続するための通信インタフェースである。画像処理装置１０は、第１通信部１８を介して、パソコンやスマートフォン、タブレット端末などの各種情報処理装置と有線又は無線にてデータ通信可能であってもよい。また、画像処理装置１０は、第１通信部１８を介してインターネットに接続し、インターネットを介して他の各種サーバや各種情報処理装置などとデータ通信可能であってもよい。
【００２９】
第２通信部１９は、通信回線１５０を通じて外部機器と通信を行うためのインタフェース部である。第２通信部１９に接続される通信回線１５０は、本実施形態では例えば公衆電話網である。ファクス機能におけるファクシミリデータの送受信は、基本的には、第２通信部１９を介して行われる。
【００３０】
（３）情報処理装置の構成
情報処理装置２０は、例えばパーソナルコンピュータ、タブレット端末、スマートフォンなどの、各種の情報処理端末である。情報処理装置２０は、図１に示すように、制御部２１と、記憶部２２と、入力部２３と、表示部２４と、通信部２５とを備える。
【００３１】
制御部２１は、例えばＣＰＵを有する。記憶部２２は、例えばＲＯＭ、ＲＡＭ、ＮＶＲＡＭ、フラッシュメモリなどの半導体メモリを有する。即ち、本実施形態の情報処理装置２０は、ＣＰＵ及び半導体メモリを含むマイクロコンピュータを備えている。記憶部２２には、各種のソフトウェアやデータが記憶されている。
【００３２】
表示部２４は、例えば液晶ディスプレイや有機ＥＬディスプレイなど、画像を表示可能な表示デバイスを有する。
入力部２３は、各種入力操作を受け付けるための入力用デバイスを有する。入力部２３が有する入力用デバイスには、例えば、キーボード、マウス、タッチパネルなどが含まれる。タッチパネルは、表示部２４が有する表示デバイスにおける画像の表示領域に重畳配置される。
【００３３】
通信部２５は、ネットワーク３を通じて外部の装置と通信を行うための通信インタフェースである。情報処理装置２０は、通信部２５を介して画像処理装置１０とデータ通信を行うことができる。
【００３４】
（４）ホーム画面の説明
画像処理装置１０において、制御部１１が起動すると、ディスプレイ１３ａに、例えば図２（ａ）又は図２（ｂ）に示すようなホーム画面４０が表示される。ホーム画面４０は、複数のタブ３１，３２，・・・を有するタブ形式の画面である。
【００３５】
ホーム画面４０に表示されるタブは、後述するユーザ認証機能がオン及びオフのどちらに設定されているかによって異なり得る。また、ユーザ認証機能がオンに設定されている場合においても、後述するユーザモードに応じて、或いはログインユーザに応じて、異なり得る。図２（ａ）及び図２（ｂ）は、ユーザ認証機能がオンに設定されていて且つユーザモードが一般モードに設定されている場合のホーム画面４０の一例を示している。
【００３６】
複数のタブ３１，３２，・・・にはそれぞれ個別にタブ画面５０が対応付けられている。ホーム画面４０には、複数のタブ３１，３２，・・・のうち選択状態にされている１つのタブに対応したタブ画面５０が表示される。選択状態にされているタブは、他のタブとは異なる態様で表示される。図２（ａ）は、タブ名が「基本１」の第１タブ３１が選択状態にされていて、第１タブ３１が他のタブとは異なる態様（例えば異なる色、異なる大きさなど）で表示されている例を示している。図２（ｂ）は、タブ名が「基本３」の第３タブ３３が選択状態にされていて、第３タブ３３が他のタブとは異なる態様で表示されている例を示している。
【００３７】
ホーム画面４０を表示させるために必要な各種情報や、ホーム画面４０に対して入力部１４を介して各種入力操作が行われた場合に実行すべき処理の内容に関する情報などは、記憶部１２に記憶されている。
【００３８】
各タブに対応付けられている各タブ画面５０は、複数のアイコンが配置された画面である。本実施形態では、１つのタブ画面５０に例えば８個のアイコンが配置される。即ち、図２（ａ）に示すように、タブ画面５０には、第１アイコン５１〜第８アイコン５８が配置される。各アイコンの具体的種類は変更することができる。
【００３９】
各タブ画面５０に配置される各アイコンには、それぞれ、特定の機能における特定の処理が対応付けられている。ユーザによりいずれかのアイコンがタップされると、そのアイコンに対応付けられている特定の処理が実行される。
【００４０】
図２（ａ）に例示するタブ画面５０においては、例えば、第１アイコン５１はファクス機能における特定の処理が対応付けられたアイコンであり、第２アイコン５２はコピー機能における特定の処理が対応付けられたアイコンであり、第３アイコン５３はスキャン機能における特定の処理が対応付けられたアイコンである。第４アイコン５４及び第８アイコン５８は、特定の処理が対応付けられていない未登録アイコンである。ユーザは、これ
らの未登録アイコンに特定の処理を登録することができる。第５アイコン５５〜第７アイコン５７については説明を省略する。
【００４１】
ホーム画面４０に表示されるタブは、図３（ｂ）に示すタブ設定テーブルにおいて管理されている。タブ設定テーブルには、Ｎｔ個（Ｎｔは任意）のタブが規定順序でリストアップされている。本実施形態における規定順序は、例えば、図３（ｂ）に示されているように、第１タブ、第２タブ、第３タブ、・・・、第Ｎｔタブ、の順序である。
【００４２】
各タブには、属性が設定される。本実施形態では、共有又はパーソナルの属性が設定される。タブの属性は、タブ毎に任意に変更することができる。図３（ｂ）は、第１タブ〜第３タブの属性が共有であり、その他のタブの属性がパーソナルに設定されている例を示している。
【００４３】
また、各タブには、タブの名称が設定される。タブの名称は、タブがホーム画面４０に表示される際に各タブに表示される。タブの名称は、タブ毎に任意に変更することができる。また、各タブには、対応付けられているアイコンの数、より具体的には未登録アイコン以外のアイコンの数が、付加されている。
【００４４】
タブ設定テーブルは、例えば、画像処理装置１０の記憶部１２に予め記憶されていてもよい。この場合、画像処理装置１０において、記憶部１２に記憶されているタブ設定テーブルをユーザが任意にカスタマイズできてもよい。
【００４５】
また、タブ設定テーブルは、例えば、情報処理装置２０などの他の装置から特定の取得タイミングで取得して記憶部１２に記憶されてもよい。
本実施形態では、例えば、情報処理装置２０においてタブ設定テーブルを任意にカスタマイズできるように構成されている。そして、画像処理装置１０の制御部１１は、起動すると、情報処理装置２０からネットワーク３を介してタブ設定テーブルを取得し、記憶部１２に記憶する。制御部１１は、タブ設定テーブルを記憶部１２に記憶すると、その後は、その記憶したタブ設定テーブルを参照してホーム画面４０を表示させる。
【００４６】
なお、記憶部１２に記憶した後も、特定のタイミングで情報処理装置２０からタブ設定テーブルを取得して、記憶部１２に記憶されているタブ設定テーブルをその取得した新たなタブ設定テーブルに更新するようにしてもよい。
【００４７】
ホーム画面４０における各タブの配列方向は、本実施形態では右方向である。即ち、各タブは右方向に順次配列される。上記配列方向への各タブの配列順序は、例えば、前述の規定順序に応じた順序、即ち規定順序における昇順である。
【００４８】
本実施形態では、ホーム画面４０には、最大で例えば４つのタブを同時に表示可能である。本実施形態では、タブの総数Ｎｔは、ホーム画面４０に同時に表示可能なタブの最大数（以下、「同時表示タブ最大数」と称する）である４よりも多い。図２（ａ）は、ホーム画面４０に、第１タブ〜第ＮｔタブのＮｔ個のタブのうち、第１タブ３１〜第３タブ３３が表示されている例を示している。
【００４９】
ホーム画面４０における、タブが表示される領域の両端近傍には、左ボタン３８及び右ボタン３９が表示される。表示対象のタブが５つ以上あってそのうち４つが表示されている場合は、左ボタン３８又は右ボタン３９をタップすることによって、表示対象のタブを左又は右へスクロールさせることで、表示されていないタブを表示させることができる。
【００５０】
現在選択状態にされているタブのタブ画面から、他のタブのタブ画面に切り替えたい場
合は、例えば、切り替え先のタブをタップすればよい。現在選択状態のタブ以外のタブをタップすると、そのタップしたタブが選択状態にされて、ホーム画面４０には、その新たに選択状態にされたタブに対応したタブ画面が表示される。
【００５１】
画像処理装置１０は、ユーザ認証機能を備え、このユーザ認証機能がオン又はオフに設定される。ユーザ認証機能のオン又はオフは、画像処理装置１０において実行可能であってもよいし、例えば情報処理装置２０などの外部の装置からネットワーク３を介して実行可能であってもよい。
【００５２】
図２（ａ）及び図２（ｂ）に示すように、ユーザ認証機能がオンに設定されている場合、ユーザ認証機能が有効となり、画像処理装置１０のユーザモードが、一般モード又は個人モードに設定される。一般モードは、いずれの登録ユーザもログインしていないユーザモードである。つまり、一般モードは、パスワード入力などの認証処理を要することなく全てのユーザが設定可能なユーザモードである。個人モードは、予め登録されているユーザ（以下、「登録ユーザ」と称する）のいずれかが所定のユーザ認証操作を行ってログインすることにより設定される。即ち、いずれかの登録ユーザがログインすることにより、その登録ユーザに対応した個人モードに設定される。
【００５３】
登録ユーザは、画像処理装置１０において直接、或いは情報処理装置２０などの外部の装置を介して間接的に、登録することができる。例えば、情報処理装置２０には、図３（ｃ）に示すユーザリストが管理されている。ユーザリストには、登録ユーザが登録される。また、ユーザリストには、登録ユーザ毎に、個人登録タブを登録することが可能である。情報処理装置２０において登録ユーザの登録処理が行われると、その登録ユーザがユーザリストに追加される。さらに、その登録ユーザに対して個人登録タブを任意に登録することができる。
【００５４】
図３（ｃ）に示すユーザリストは、少なくともユーザＡ，Ｂ，Ｃ，Ｄが登録ユーザとして登録されていることを例示している。また、ユーザＡの個人登録タブとして第４タブが登録され、ユーザＢの個人登録タブとして第５タブが登録され、ユーザＣの個人登録タブとして第２タブが登録され、ユーザＤの個人登録タブは登録されていない例が示されている。個人登録タブは、共有及びパーソナルのいずれの属性のタブも登録可能である。ただし、本実施形態では、一例として、１つのタブは一人の登録ユーザにおいてのみ登録可能であり、複数の登録ユーザが同じ１つのタブを重複して個人登録タブに設定することはできないようにされている。
【００５５】
ユーザリストは、画像処理装置１０が自ら管理してもよいし、基本的には情報処理装置２０側で管理し、必要に応じて画像処理装置１０が情報処理装置２０から取得するようにしてもよい。本実施形態では、何れかの登録ユーザがログインする毎に、画像処理装置１０が情報処理装置２０とデータ通信を行うことにより、情報処理装置２０で管理されているユーザリストを参照し、ログインした登録ユーザに対応した個人登録タブを示す情報を取得する。
【００５６】
登録ユーザのログインは、例えば、登録ユーザ固有のユーザ認証情報（例えばパスワード）が入力部１４を介して入力されることを含む所定の認証処理が実行されることによって行われる。
【００５７】
ユーザモードが一般モードか個人モードかによって、ホーム画面４０に表示されるタブが異なる。さらに、個人モード時においても、どの登録ユーザがログインしているかによって、ホーム画面４０に表示されるタブが異なる。
【００５８】
ユーザ認証機能がオンに設定されると、ホーム画面４０には、図２（ａ）及び図２（ｂ）に示すように、ユーザ切替インタフェース３６が表示される。ユーザ切替インタフェース３６は、ユーザモードを切り替えるためにユーザに操作（例えばタップ操作）される画像である。
【００５９】
ユーザ切替インタフェース３６には、現在のユーザモードを示す情報が表示される。本実施形態では、ユーザモードが一般モードに設定されている場合は、図２（ａ）及び図２（ｂ）に示すように、一般モードであることを示す「パブリック」というテキストが表示される。ユーザモードが個人モードに設定されている場合は、ユーザ切替インタフェース３６には、図６（ａ）〜図６（ｃ）に例示するように、ログインユーザを示す情報が表示される。
【００６０】
ユーザ切替インタフェース３６がタップされると、表示部１３に、ユーザモードを選択するための不図示のユーザモード選択画面が表示される。ユーザモード選択画面には、選択肢として、一般モードと、各登録ユーザが表示される。そして、一般モードが選択されると、ユーザモードが一般モードに設定される。
【００６１】
一般モードにおいては、ホーム画面４０には、属性が共有のタブが表示され、そのうちいずれか１つのタブが選択状態にされる。一般モードにおいては、基本的には、属性がパーソナルのタブは表示されない。
【００６２】
なお、ユーザ認証機能がオンに設定されている場合において、制御部１１に電源が投入されて制御部１１が起動したとき（以下、「第１のタイミング」と称する）、制御部１１は、ユーザモードを例えば一般モードに設定し、一般モードに対応したホーム画面４０を表示させる。また、一般モードにおいて、ホーム画面４０とは異なる画面が表示されている場合に、入力部１４が備える不図示のホームキーが押下されたとき（以下、「第２のタイミング」と称する）、制御部１１は、一般モードに対応したホーム画面４０を表示させる。また、ユーザモードが個人モードから一般モードに変更されたとき（以下、「第３のタイミング」と称する）、制御部１１は、一般モードに対応したホーム画面４０を表示させる。
【００６３】
第１のタイミング〜第３のタイミングで表示されるホーム画面４０において最初に選択状態にされるタブであるメインホーム画面タブは、図３（ａ）に示すメインホーム画面タブ設定テーブルにおいて設定されている。ユーザは、特定の設定操作を行うことで、メインホーム画面タブを変更することができる。図３（ａ）は、メインホーム画面タブが第１タブに設定されている例を示している。制御部１１は、第１のタイミング〜第３のタイミングにおいて、メインホーム画面タブ設定テーブルを参照して、メインホーム画面タブの設定値を取得する。そして、取得した設定値が示すタブを選択状態とするホーム画面４０を表示させる。
【００６４】
本実施形態では、図３（ｂ）に示すように、第１タブ〜第３タブの属性が共有である。そのため、一般モード時のホーム画面４０には、図２（ａ）に例示するように、第１タブ３１、第２タブ３２及び第３タブ３３が表示される。さらに、図３（ａ）に示すメインホーム画面タブ設定テーブルの設定値に基づき、第１タブ３１が選択状態にされ、第１タブ３１のタブ画面５０が表示される。
【００６５】
ユーザは、タブ設定テーブルにおける、各タブの属性及びタブ名を任意に変更することができる。そのため、例えば次のようなケースが発生し得る。
即ち、あるユーザが、図３（ｂ）に示すタブ設定テーブルの設定値に基づいて、属性が共有の第１タブをメインホーム画面タブに設定したとする（図３（ａ）の状態に対応）。
この時点では、上記の第１タイミング〜第３タイミングにおいて表示されるホーム画面４０では、図２（ａ）に示すように、共有属性の第１タブ３１〜第３タブ３３が表示されると共に、メインホーム画面タブに設定されている第１タブ３１が選択状態にされる。
【００６６】
その後、第１タブ３１の属性がパーソナルに変更されたとする。この場合、一般モードのホーム画面４０には第１タブ３１は表示されなくなる。一方、メインホーム画面タブの設定値は第１タブに設定されている。そのため、ホーム画面４０において選択状態とすべきタブが存在しない状態となる。
【００６７】
そこで、本実施形態では、上記のようなケースに適切に対応すべく、メインホーム画面タブに設定されているタブの属性がパーソナルに変更された場合は、当該タブ以外の他の共有属性のうちのいずれかが選択状態とされる。
【００６８】
図３（ｂ）の例において第１タブの属性がパーソナルに変更された場合、共有属性のタブは第２タブ及び第３タブの２つとなる。この２つのタブのうちどちらを選択状態にしてもよいが、本実施形態では、前述の規定順序における最上位のタブが選択状態にされる。そのため、基本的には、第２タブが選択状態にされる。
【００６９】
ただし、本実施形態では、アイコンが登録されていないタブは、アイコンが登録されているタブよりも、選択状態にする優先度が低い。第２タブと第３タブのアイコンの数を比較すると、図３（ｂ）に示すように、第２タブにはアイコンが１つも登録されていないのに対し、第３タブには３個のアイコンが登録されている。
【００７０】
そのため、本実施形態では、規定順序を考慮すれば第２タブの方が第３タブより上位に配置されているものの、アイコンが登録されているか否かの判断基準が優先される。その結果、図２（ｂ）に例示するようなホーム画面４０、即ち、アイコンが登録されていない第２タブ３２は選択状態にされず、アイコンが登録されている第３タブ３３が選択状態にされたホーム画面４０が表示される。
【００７１】
次に、タブの属性を変更する方法、及び、メインホーム画面タブの設定を変更する方法について、図４及び図５を用いて説明する。
タブの属性は、画像処理装置１０において、或いは情報処理装置２０から遠隔で、図４に示すタブ属性設定画面３０を介して変更することができる。タブ属性設定画面３０は、タブ毎の属性設定画像７１〜７８を含む。ユーザは、各属性設定画像７１〜７８のうち属性を変更させたいタブに対応した属性設定画像を介して、そのタブの属性を変更できる。
【００７２】
また、タブ属性設定画面３０においては、図４に示すように、メインホーム画面タブに設定されているタブの属性設定画像の近傍（例えば右端）に、メインホーム設定マーク７が付加される。ユーザは、メインホーム設定マーク７に基づいて、どのタブがメインホーム画面タブに設定されているかを知ることができる。そのため、メインホーム画面タブに設定されているタブがパーソナル属性に変更されることを牽制することができる。
【００７３】
図３（ａ）に示すメインホーム画面タブの設定値は、画像処理装置１０に表示される図５のメインホーム画面設定画面３５を介して設定することができる。メインホーム画面設定画面３５には、タブ設定テーブルに設定されるタブ毎の選択肢、即ちタブ選択ボタン３５ａ，３５ｂ，・・・が表示される。ユーザは、何れかのタブ選択ボタンを選択することで、そのタブ選択ボタンに対応したタブをメインホーム画面タブに設定することができる。
【００７４】
ただし、メインホーム画面設定画面３５においては、タブ属性が共有のタブに対応した
タブ選択ボタン３５ａ，３５ｂ，３５ｃが選択肢として有効となり、タブ属性がパーソナルのタブに対応した他のタブ選択ボタン３５ｄ，３５ｅ，・・・は選択肢として無効とされる。選択肢として無効とされるタブ選択ボタンは、選択肢として有効とされるタブ選択ボタンとは異なる態様（例えば異なる色）で表示され、仮にユーザがタップ操作等してもその操作は無効にされる。
【００７５】
一方、選択肢として有効にされるタブ選択ボタン３５ａ，３５ｂ，３５ｃのうちのいずれかが例えばタップ操作されると、そのタップ操作されたタブ選択ボタンに対応したタブがメインホーム画面タブに設定される。そして、その設定内容に従って、図３（ａ）のメインホーム画面タブ設定テーブルの設定値が更新される。
【００７６】
ユーザ切替インタフェース３６がタップされることによって表示される前述のユーザモード選択画面（不図示）において、いずれかの登録ユーザが選択されると、認証処理を行うための不図示の認証画面が表示される。この認証画面を介して、選択された登録ユーザに対応した正規のユーザ認証情報が入力されると、認証が成功、即ちログインし、ユーザモードが、選択された登録ユーザの個人モードに設定される。
【００７７】
個人モードにおいては、ユーザリスト（図３（ｃ）参照）から、対応する登録ユーザに対して登録されている個人登録タブが取得され、その個人登録タブがホーム画面４０に表示される。さらに、個人モードにおいては、ホーム画面４０に、属性が共有のタブも表示される。個人モードにおいては、属性がパーソナルのタブは、対応する登録ユーザの個人登録タブを除き、ホーム画面４０に表示されない。
【００７８】
個人モードにおいてどのタブを選択状態とするかについては、本実施形態では、図３（ｄ）に示す、個人登録タブの個人用メインホーム画面タブ設定テーブル（以下、「個人タブホーム設定テーブル」と略称する）の設定値によって異なる。
【００７９】
個人タブホーム設定テーブルの設定値がオフの場合は、表示対象の共有属性タブのうちのいずれか（例えば規定順序における最上位のタブ）が選択状態にされる。一方、個人タブホーム設定テーブルの設定値がオンの場合は、ログインしているユーザに対応した個人登録タブが選択状態にされる。
【００８０】
例えばユーザＡは、ユーザリストにおいて、第４タブが個人登録タブとして登録されている。そのため、ユーザＡがログインしている場合であって、個人タブホーム設定テーブルの設定値が例えばオンに設定されている場合は、ホーム画面４０には、図６（ａ）に例示するように、ユーザＡの個人登録タブである第４タブ３４、及び属性が共有の第１タブ３１〜第３タブ３３が表示され、そのうち第４タブ３４が選択状態にされる。
【００８１】
また、図６（ａ）に示す状態から、例えば、個人タブホーム設定テーブルの設定値がオフに変更されると、図６（ｂ）に例示するように、第１タブ３１が選択状態にされる。
さらに、図６（ｂ）に示す状態から、例えば、第１タブ３１の属性がパーソナルに変更されると、図６（ｃ）に例示するように、第１タブ３１が消去される。そして、他の共有属性タブのうち、規定順位における最上位であって且つアイコンが登録されているタブである、第３タブ３３が、選択状態にされる。
【００８２】
（５）一般モードホーム画面表示処理
次に、一般モード時に実行される、ホーム画面４０を表示させるための一般モードホーム画面表示処理について、図７を参照して説明する。制御部１１は、前述の第１タイミング〜第３タイミングのいずれかが発生すると、記憶部１２から図７の一般モードホーム画面表示処理のプログラムを読み込んで実行する。
【００８３】
図７を参照して説明する。制御部１１は、一般モードホーム画面表示処理を開始すると、Ｓ１１０で、メインホーム画面タブ設定テーブル（図３（ａ）参照）から、メインホーム画面タブの設定値を取得する。また、タブ設定テーブル（図３（ｂ）参照）を参照し、タブ設定テーブルに登録されている各タブのタブ属性、タブ名、アイコン数を取得する。情報処理装置２０などの他の装置からタブ設定テーブルの情報を取得し、そのタブ設定テーブルからタブ属性を取得すると共にそのタブ設定テーブルを記憶部１２に記憶してもよいし、前回までのＳ１１０の処理で取得して記憶部１２に記憶されているタブ設定テーブルを読み出してそのタブ設定テーブルからタブ属性や各タブ名、アイコン数を取得してもよい。
【００８４】
Ｓ１２０では、Ｓ１１０で取得したメインホーム画面タブの属性が共有であるか否か判断する。つまり、取得したメインホーム画面タブの設定値から、取得したタブ設定テーブル内のインデックスに一致するタブのタブ属性を取得し、共有であるか否かを判断する。メインホーム画面タブの属性が共有である場合は、Ｓ１３０に移行する。Ｓ１３０では、メインホーム画面タブのタブ画面を、ホーム画面に設定、即ちホーム画面において選択状態として表示させる画面として設定する。Ｓ１４０では、Ｓ１３０で設定した内容に従って、ホーム画面４０を表示させる。即ち、タブ設定テーブルを参照し、共有属性タブを含むホーム画面４０であってＳ１３０でホーム画面に設定されたタブを選択状態とする。
【００８５】
Ｓ１２０で、メインホーム画面タブの属性が共有ではない場合は、Ｓ１５０に移行する。Ｓ１５０では、変数ｎを１に設定する。Ｓ１６０では、変数ｎがタブの総数以下であるか否か判断する。変数ｎがタブの総数以下である場合は、Ｓ１７０に移行する。Ｓ１７０では、タブ設定テーブルから第ｎタブの情報を取得する。
【００８６】
Ｓ１８０では、Ｓ１７０で取得した情報に基づき、第ｎタブの属性が共有であるか否か判断する。第ｎタブの属性が共有ではない場合は、Ｓ２００で、変数ｎを１つインクリメントして、Ｓ１６０に移行する。第ｎタブの属性が共有である場合は、Ｓ１９０に移行する。
【００８７】
Ｓ１９０では、Ｓ１７０で取得した情報に基づき、第ｎタブがアイコンを含むか否か判断する。第ｎタブがアイコンを含まない場合は、Ｓ２００に移行する。第ｎタブがアイコンを含む場合は、Ｓ２１０に移行する。Ｓ２１０では、第ｎタブのタブ画面を、ホーム画面に設定する。Ｓ２１０の処理後は、Ｓ１４０に移行し、Ｓ２１０で設定した内容に従って、ホーム画面４０を表示させる。
【００８８】
Ｓ１６０で、変数ｎがタブの総数を超えている場合は、Ｓ２２０に移行する。Ｓ２２０では、Ｓ１３０と同様、メインホーム画面タブのタブ画面を、ホーム画面に設定する。Ｓ２２０の処理後は、Ｓ１４０に移行し、Ｓ２２０で設定した内容に従って、ホーム画面４０を表示させる。
【００８９】
（６）タブ属性設定処理
次に、図４に示したタブ属性設定画面３０を介してタブの属性を設定するためのタブ属性設定処理について、図８を参照して説明する。画像処理装置１０の制御部１１は、特定のタブ属性設定要求が入力されると、記憶部１２から図８のタブ属性設定処理のプログラムを読み込んで実行する。なお、タブ属性設定処理は、情報処理装置２０の制御部２１が実行し、その実行結果を所定のタイミングで画像処理装置１０へ送信してもよい。
【００９０】
図８を参照して説明する。制御部１１又は制御部２１は、タブ属性設定処理を開始すると、Ｓ３１０で、メインホーム画面タブ設定テーブル（図３（ａ）参照）から、メインホ
ーム画面タブの設定値を取得する。
【００９１】
Ｓ３２０では、変数ｎを１に設定する。Ｓ３３０では、変数ｎがタブの総数以下であるか否か判断する。変数ｎがタブの総数を超えている場合は、Ｓ３７０に移行する。変数ｎがタブの総数以下である場合は、Ｓ３４０に移行する。
【００９２】
Ｓ３４０では、メインホーム画面タブ設定テーブル（図３（ａ）参照）を参照して、第ｎタブがメインホーム画面タブに設定されているか否か判断する。第ｎタブがメインホーム画面タブに設定されていない場合は、Ｓ３５０で、変数ｎを１つインクリメントして、Ｓ３３０に移行する。
【００９３】
第ｎタブがメインホーム画面タブに設定されている場合は、Ｓ３６０に移行する。Ｓ３６０では、第ｎタブへメインホーム設定マーク７（図４参照）を付加するように設定する。
Ｓ３７０では、タブ属性設定画面３０（図４参照）を表示させる。このとき、Ｓ３６０でメインホーム設定マーク７を付加するように設定されたタブの属性設定画像の近傍に、メインホーム設定マーク７を表示させる。Ｓ３８０では、Ｓ３７０で表示させたタブ属性設定画面３０に対するユーザの入力を受け付け、その入力に従って、各タブの属性を設定する。
【００９４】
（７）メインホーム画面設定処理
次に、図５に示したメインホーム画面設定画面３５を介してメインホーム画面タブ（図３（ａ）参照）を設定するためのメインホーム画面設定処理について、図９を参照して説明する。画像処理装置１０の制御部１１は、特定のメインホーム画面設定要求が入力されると、記憶部１２から図９のメインホーム画面設定処理のプログラムを読み込んで実行する。
【００９５】
図９を参照して説明する。制御部１１は、メインホーム画面設定処理を開始すると、Ｓ４１０で、変数ｎを１に設定する。Ｓ４２０では、変数ｎがタブの総数以下であるか否か判断する。変数ｎがタブの総数以下である場合は、Ｓ４３０に移行する。Ｓ４３０では、タブ設定テーブルから第ｎタブの情報を取得する。
【００９６】
Ｓ４４０では、Ｓ４３０で取得した情報に基づき、第ｎタブの属性が共有であるか否か判断する。第ｎタブの属性が共有ではない場合は、Ｓ４６０で、変数ｎを１つインクリメントして、Ｓ４２０に移行する。第ｎタブの属性が共有である場合は、Ｓ４５０に移行し、第ｎタブを選択対象に追加して、Ｓ４６０に移行する。
【００９７】
Ｓ４２０で、変数ｎがタブの総数を超えている場合は、Ｓ４７０に移行する。Ｓ４７０では、メインホーム画面設定画面３５（図５参照）を表示させる。このとき、図５に例示したように、Ｓ４５０の処理で選択対象に追加されたタブ（即ち共有属性タブ）に対応した選択肢のみを選択可能とし、Ｓ４５０で選択対象に追加されなかったタブ（即ちパーソナル属性タブ）に対応した選択肢は無効として選択できないようにする。
【００９８】
Ｓ４８０では、Ｓ４７０で表示させたメインホーム画面設定画面３５に対するユーザの入力を受け付け、その入力に従って、メインホーム画面タブを設定する。
（８）メインホーム画面初期化処理
次に、メインホーム画面タブ（図３（ａ）参照）の設定値を初期化するためのメインホーム画面初期化処理について、図１０を参照して説明する。制御部１１は、特定の初期化指示操作が入力されると、記憶部１２から図１０のメインホーム画面初期化処理のプログラムを読み込んで実行する。
【００９９】
図１０を参照して説明する。制御部１１は、メインホーム画面初期化処理を開始すると、Ｓ５１０で、初期化指示操作を受け付ける。Ｓ５２０では、メインホーム画面タブの初期設定値を取得する。メインホーム画面タブの初期設定値は、どこから取得してもよい。例えば記憶部１２に予め記憶されていて、記憶部１２から取得してもよい。また例えば、情報処理装置２０などの外部の装置から取得してもよい。
【０１００】
Ｓ５３０では、Ｓ５２０で取得した初期設定値のタブの属性が共有であるか否か判断する。具体的には、記憶部１２に記憶されているタブ設定テーブルから、初期設定値のタブに対応するタブのタブ属性を取得し、共有か否かを判断する。初期設定値のタブの属性が共有である場合は、Ｓ５４０に移行する。Ｓ５４０では、初期設定値のタブのタブ画面を、ホーム画面に設定、即ちホーム画面において選択状態として表示させる画面として設定する。
【０１０１】
Ｓ５３０で、初期設定値のタブの属性が共有ではない場合は、Ｓ５６０に移行する。Ｓ５６０では、変数ｎを１に設定する。Ｓ５７０では、変数ｎがタブの総数以下であるか否か判断する。変数ｎがタブの総数以下である場合は、Ｓ５８０に移行する。Ｓ５８０では、タブ設定テーブルから第ｎタブの情報を取得する。
【０１０２】
Ｓ５９０では、Ｓ５８０で取得した情報に基づき、第ｎタブの属性が共有であるか否か判断する。第ｎタブの属性が共有ではない場合は、Ｓ６００で、変数ｎを１つインクリメントして、Ｓ５７０に移行する。第ｎタブの属性が共有である場合は、Ｓ６１０に移行する。Ｓ６１０では、第ｎタブを、メインホーム画面タブに設定し、メインホーム画面タブ設定テーブルをその設定値に更新する。
【０１０３】
Ｓ５７０で、変数ｎがタブの総数を超えている場合は、Ｓ６２０に移行する。Ｓ６２０では、初期設定値のタブをメインホーム画面タブに設定し、メインホーム画面タブ設定テーブルをその設定値に更新する。
【０１０４】
（９）個人モードホーム画面表示処理
次に、個人モード時に実行される、ホーム画面４０を表示させるための個人モードホーム画面表示処理について、図１１を参照して説明する。制御部１１は、ユーザモードが一般モードから個人モードに変更されたとき、及び個人モードにおいてログインユーザが変更されたとき、記憶部１２から図１１の個人モードホーム画面表示処理のプログラムを読み込んで実行する。
【０１０５】
図１１を参照して説明する。制御部１１は、個人モードホーム画面表示処理を開始すると、Ｓ７１０で、ログインユーザ情報を取得する。具体的に、ユーザリスト（図３（ｃ）参照）から、新たにログインした登録ユーザに対応した情報を取得する。
【０１０６】
Ｓ７２０では、ログインした登録ユーザに個人登録タブが設定されているか否か判断する。ログインした登録ユーザに個人登録タブが設定されている場合は、Ｓ７３０に移行する。Ｓ７３０では、ログインしたユーザに設定されている個人登録タブを個人用メインホーム画面タブとして利用するように設定されているか否か判断する。具体的には、個人タブホーム設定テーブル（図３（ｄ）参照）の設定値がオン及びオフのどちらであるかを判断する。個人タブホーム設定テーブルの設定値がオフの場合は、Ｓ７６０に移行する。個人タブホーム設定テーブルの設定値がオンの場合は、Ｓ７４０に移行する。
【０１０７】
Ｓ７４０では、個人登録タブのタブ画面を、ホーム画面に設定、即ちホーム画面において選択状態として表示させる画面として設定する。Ｓ７５０では、Ｓ７４０で設定した内
容に従って、ホーム画面４０を表示させる。即ち、タブ設定テーブルを参照し、共有属性タブ、及びログインユーザの個人登録タブを含むホーム画面４０であって、Ｓ７４０でホーム画面に設定されたタブを選択状態とする。
【０１０８】
Ｓ７２０で、ログインした登録ユーザに個人登録タブが設定されていない場合は、Ｓ７６０に移行する。Ｓ７６０では、メインホーム画面タブ設定テーブル（図３（ａ）参照）から、メインホーム画面タブの設定値を取得する。
【０１０９】
Ｓ７７０では、Ｓ７６０で取得したメインホーム画面タブの属性が共有であるか否か判断する。具体的には、記憶部１２に記憶されているタブ設定テーブルから、取得したメインホーム画面タブの設定値に対応するタブのタブ属性を取得し、共有か否かを判断する。メインホーム画面タブの属性が共有である場合は、Ｓ８４０に移行する。Ｓ８４０では、メインホーム画面タブのタブ画面をホーム画面に設定する。この場合におけるＳ７５０では、Ｓ８４０で設定した内容に従って、ホーム画面４０を表示させる。即ち、タブ設定テーブルを参照し、共有属性タブ、及びログインユーザの個人登録タブを含むホーム画面４０であって、Ｓ８４０でホーム画面に設定されたタブを選択状態とする。
【０１１０】
Ｓ７７０で、メインホーム画面タブの属性が共有ではない場合は、Ｓ７８０に移行する。Ｓ７８０では、変数ｎを１に設定する。Ｓ７９０では、変数ｎがタブの総数以下であるか否か判断する。変数ｎがタブの総数以下である場合は、Ｓ８００に移行する。Ｓ８００では、タブ設定テーブルから第ｎタブの情報を取得する。
【０１１１】
Ｓ８１０では、Ｓ８００で取得した情報に基づき、第ｎタブの属性が共有であるか否か判断する。第ｎタブの属性が共有ではない場合は、Ｓ８２０で、変数ｎを１つインクリメントして、Ｓ７９０に移行する。第ｎタブの属性が共有である場合は、Ｓ８３０に移行する。
【０１１２】
Ｓ８３０では、第ｎタブのタブ画面を、ホーム画面に設定する。Ｓ８３０の処理後は、Ｓ７５０に移行し、Ｓ８３０で設定した内容に従って、ホーム画面４０を表示させる。Ｓ７９０で、変数ｎがタブの総数を超えている場合は、Ｓ８４０に移行する。
【０１１３】
（１０）実施形態の効果
本実施形態の画像処理装置１０では、ユーザモードが一般モードに設定されている場合、パーソナル属性タブは表示されずに共有属性タブが表示され、そのうちメインタブに設定されているタブが選択状態にされる。ただし、メインタブの属性がパーソナルに設定されている場合は、そのメインタブは表示されず、他のいずれかの共有属性タブが選択状態にされる。
【０１１４】
そのため、メインタブの属性がパーソナルに設定変更されても、一般モードでの動作開始後、選択状態のタブを適切に決定して、ホーム画面を適切に表示させることが可能となる。
【０１１５】
なお、本実施形態において、記憶部１２は第１の記憶部及び第２の記憶部の一例に相当する。ホーム画面４０は待機画面の一例に相当する。各アイコン５１〜５８は機能オブジェクトの一例に相当する。メインホーム画面タブはメインタブの一例に相当する。メインホーム画面設定画面３５はメインタブ選択画面の一例に相当する。メインホーム設定マーク７は特定のマークの一例に相当する。属性設定画像７１〜７８は選択用画像の一例に相当する。図３（ｄ）のテーブルは個人モード情報の一例に相当する。図３（ｃ）のユーザリストにおける個人用メインホーム画面タブの設定値は選択指定情報の一例に相当する。
【０１１６】
また、Ｓ１４０，Ｓ２１０，Ｓ７５０，Ｓ９４０の処理は表示処理の一例に相当し、このうち特にＳ１４０及びＳ２１０の処理は第１表示処理の一例に相当し、Ｓ７５０及びＳ９４０の処理は第２表示処理の一例に相当する。Ｓ４７０，Ｓ４８０，Ｓ５４０，Ｓ６１０，Ｓ６２０の処理はメインタブ設定処理の一例に相当し、このうちＳ４７０はメインタブ選択画面表示処理の一例に相当する。Ｓ３７０の処理は属性設定画面表示処理の一例に相当する。Ｓ３８０の処理は属性設定処理の一例に相当する。Ｓ５１０の処理は初期化受付処理の一例に相当する。Ｓ５３０の処理は属性判断処理の一例に相当する。
【０１１７】
［２．他の実施形態］
以上、本発明の実施形態について説明したが、本発明は上述の実施形態に限定されることなく、種々変形して実施することができる。
【０１１８】
（１）個人モード移行時に最初にどのようなホーム画面を表示させるか、即ちどのタブを選択状態にして表示させるか、については、図１１に示した個人モードホーム画面表示処理とは異なる処理で決定されてもよい。
【０１１９】
例えば、図３（ｃ）のユーザリストに示されているように、登録ユーザ毎に任意のタブを個人用メインホーム画面タブとして予め登録可能であってもよい。そして、ログインユーザにおいて個人用メインホーム画面タブが設定されている場合は、ホーム画面においてその個人用メインホーム画面タブを表示させ且つ選択状態にするようにしてもよい。
【０１２０】
これを実現するために、図１１の個人モードホーム画面表示処理に代えて、例えば図１２に示す個人モードホーム画面表示処理を実行することによって、ホーム画面を表示させるようにしてもよい。図１２に示す個人モードホーム画面表示処理について具体的に説明する。
【０１２１】
図１２を参照して説明する。制御部１１は、図１２に示す個人モードホーム画面表示処理を開始すると、Ｓ９１０で、Ｓ７１０と同様にログインユーザ情報を取得する。Ｓ９２０では、ユーザリストに基づき、ログインユーザの個人登録タブが、ログインユーザの個人用メインホーム画面タブと同じであるか否かを判断する。
【０１２２】
ログインユーザの個人登録タブが、ログインユーザの個人用メインホーム画面タブと同じである場合は、Ｓ９３０に移行する。この場合におけるＳ９３０の処理、及びそれに続くＳ９４０の処理は、図１１のＳ７４０〜Ｓ７５０の処理と同じである。
【０１２３】
Ｓ９２０で、ログインユーザの個人登録タブが、ログインユーザの個人用メインホーム画面タブと異なる場合は、Ｓ９５０に移行する。Ｓ９５０では、個人用メインホーム画面タブの属性が共有であるか否か判断する。具体的には、記憶部１２に記憶されているタブ設定テーブルから、取得した個人用メインホーム画面タブに対応するタブのタブ属性を取得し、共有か否かを判断する。個人用メインホーム画面タブの属性が共有である場合は、Ｓ１０３０に移行する。Ｓ１０３０では、個人用メインホーム画面タブのタブ画面をホーム画面に設定し、Ｓ９４０に移行する。この場合におけるＳ９４０では、Ｓ１０３０で設定した内容に従って、ホーム画面４０を表示させる。即ち、タブ設定テーブルを参照し、共有属性タブ、及びログインユーザの個人登録タブを含むホーム画面４０であって、Ｓ１０３０でホーム画面に設定されたタブを選択状態とする。
【０１２４】
Ｓ９５０で、個人用メインホーム画面タブの属性が共有ではない場合は、Ｓ９６０に移行する。Ｓ９６０では、変数ｎを１に設定する。Ｓ９７０では、変数ｎがタブの総数以下であるか否か判断する。変数ｎがタブの総数以下である場合は、Ｓ９８０に移行する。Ｓ９８０では、タブ設定テーブルから第ｎタブの情報を取得する。
【０１２５】
Ｓ９９０では、Ｓ９８０で取得した情報に基づき、第ｎタブの属性が共有であるか否か判断する。第ｎタブの属性が共有ではない場合は、Ｓ１０００で、変数ｎを１つインクリメントして、Ｓ９７０に移行する。第ｎタブの属性が共有である場合は、Ｓ１０１０に移行する。
【０１２６】
Ｓ１０１０では、第ｎタブのタブ画面を、ホーム画面に設定する。Ｓ１０１０の処理後は、Ｓ９４０に移行し、Ｓ１０１０で設定した内容に従って、ホーム画面４０を表示させる。Ｓ９７０で、変数ｎがタブの総数を超えている場合は、Ｓ１０２０に移行する。Ｓ１０２０では、変数ｎを１つデクリメントして、Ｓ１０１０に移行する。
【０１２７】
（２）図４に示すタブ属性設定画面３０において、メインホーム設定マーク７は、どのようなデザインのマークであってもよい。また、メインホーム設定マーク７を付加することに代えて、対応するタブを例えば強調表示させたり色を変えて表示させたりすることで、他のタブと区別できるようにしてもよい。
【０１２８】
（３）図５に示すメインホーム画面設定画面３５において、選択できないタブの選択肢はどのような形態で表示させてもよい。あるいは、選択できないタブの選択肢は表示させないようにしてもよい。
【０１２９】
（４）その他、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。
【符号の説明】
【０１３０】
１…情報処理システム、３…ネットワーク、７…メインホーム設定マーク、１０…画像処理装置、１１，２１…制御部、１２，２２…記憶部、１３，２４…表示部、１３ａ…ディスプレイ、１４，２３…入力部、１４ａ…タッチパネル、１５…読取部、１６…印刷部、１７…メディアＩ／Ｆ、１８…第１通信部、１９…第２通信部、２０…情報処理装置、２５…通信部、３０…タブ属性設定画面、３１…第１タブ、３２…第２タブ、３３…第３タブ、３４…第４タブ、３５…メインホーム画面設定画面、３６…ユーザ切替インタフェース、４０…ホーム画面、５０…タブ画面、５１…第１アイコン、５２…第２アイコン、５３…第３アイコン、５４…第４アイコン、５５…第５アイコン、５６…第６アイコン、５７…第７アイコン、５８…第８アイコン、７１…属性設定画像。
【図１】
2020052973.tif 000003
【図２】
2020052973.tif 000004
【図３】
2020052973.tif 000005
【図４】
2020052973.tif 000006
【図５】
2020052973.tif 000007
【図６】
2020052973.tif 000008
【図７】
2020052973.tif 000009
【図８】
2020052973.tif 000010
【図９】
2020052973.tif 000011
【図１０】
2020052973.tif 000012
【図１１】
2020052973.tif 000013
【図１２】
2020052973.tif 000014